(57)【要約】      （修正有）【課題】システムの電源投入遮断を何度も行う自動的なスケジューリング制御を提供する。【解決手段】自動電源投入遮断スケジューリング制御手法は、ユーザーに対して複数の自動電源投入遮断時刻を設定し、定期的なシステム割り込みを用いてシステム時刻を確認する。システム時刻が自動電源遮断時刻に達するかまたはそれを過ぎている時には、次回電源投入時刻が設定され、その後、次回電源投入時刻が正しく設定された時点で電源遮断動作が実行される。次回の電源投入動作の後、システム時刻を確認するために定期的な割り込みによって生成された定期的なシステム割り込みが再始動し、システム時刻がユーザーによって設定された次回の電源投入遮断時刻と比較される。そのようなサイクルはすべての自動電源投入遮断時刻設定が実行されるまで連続して続けられる。【選択図】図１
2010267127.tif 000002
【特許請求の範囲】
【請求項１】
電子機器に適用可能な、システムの自動電源投入遮断スケジューリング制御手法であって、
第一段階：上記電子機器の電源投入プログラムを実行するために該電子機器のシステム電源を入れる段階と、
第二段階：自動電源投入遮断設定データを検索する段階と、
第三段階：上記自動電源投入遮断設定データを読み込んだ時点で定期的な割り込みを作動させる段階と、
第四段階：上記電子機器の電源投入プログラムを完了させる段階と、
第五段階：上記電源投入遮断設定データ内の電源遮断時刻を読む段階と、
第六段階：上記定期的な割り込みを用いて電子機器のシステム時刻を確認し、かつ、上記システム時刻と上記読み込んだ電源遮断時刻を比較する段階と、
第七段階：上記システム時刻が上記電源遮断時刻と一致する場合には次回電源投入時刻を設定する段階と、
第八段階：アドバンスト・コンフィグレーション・アンド・パワー・インターフェース（ＡＣＰＩ）オペレーティングシステムを検出する、および
第九段階：上記ＡＣＰＩオペレーティングシステムが実行状態にある場合に該ＡＣＰＩオペレーティングシステムにより上記電子機器の電源遮断プログラムを実行する段階とを備える手法。
【請求項２】
請求項１のシステムの自動電源投入遮断スケジューリング制御手法であって、第九段階がさらに、上記ＡＣＰＩオペレーティングシステムが実行状態にない場合に第五段階に戻り、第五段階を実行する手法。
【請求項３】
請求項１のシステムの自動電源投入遮断スケジューリング制御手法であって、第九段階がさらに、上記ＡＣＰＩオペレーティングシステムが存在しない場合に従来のオペレーティングシステムにより上記電子機器の電源遮断プログラムを実行する手法。
【請求項４】
請求項３のシステムの自動電源投入遮断スケジューリング制御手法であって、上記従来のオペレーティングシステムにより上記電子機器の上記電源遮断プログラムを実行する段階がさらに、上記電子機器の上記電源遮断プログラムを実行するためにＡＣＰＩポートにソフトオフコマンドを書き込む手法。
【請求項５】
請求項１のシステムの自動電源投入遮断スケジューリング制御手法であって、上記電子機器の上記システム時刻を確認する第六段階がさらに設定格納装置から現在のシステム時刻を読み込む手法。
【請求項６】
請求項１のシステムの自動電源投入遮断スケジューリング制御手法であって、電源投入遮断時刻それぞれの設定データが設定格納装置内に格納される手法。
【請求項７】
請求項１のシステムの自動電源投入遮断スケジューリング制御手法であって、第八段階がＡＣＰＩフラグの検索、および、該ＡＣＰＩフラグがイネーブルの時に上記ＡＣＰＩオペレーティングシステムが実行状態であるかどうかを判断することを特徴とする手法。
【請求項８】
請求項６のシステムの自動電源投入遮断スケジューリング制御手法であって、第七段階が上記設定格納装置内へ上記次回の電源投入時刻を設定することを特徴とする手法。
【請求項９】
請求項８のシステムの自動電源投入遮断スケジューリング制御手法であって、上記設定格納装置内へ上記次回の電源投入時刻を設定する段階が、警告フラグの解除、起動時刻の設定、警告割り込みの作動、入出力バッファの記録消去、および、警告起動イベントの作動することを特徴とする手法。
【請求項１０】
請求項１のシステムの自動電源投入遮断スケジューリング制御手法であって、さらに、
第十段階：上記電子機器の上記システム時刻を確認し、および、上記システム時刻と上記自動電源投入遮断設定データ内の上記次回電源投入時刻を比較する段階を備える手法。
【請求項１１】
請求項１０のシステムの自動電源投入遮断スケジューリング制御手法であって、さらに、
第十一段階：上記システム時刻が上記次回電源投入時刻と合致した時に第一段階に戻る段階を備える手法。
【請求項１２】
オペレーティングシステムを実行する電子機器に適用可能な自動電源投入遮断スケジューリングシステムであって、
基材が上記電子機器内に位置し、
設定格納装置が上記基材上に位置し、かつ、基本入出力システム（ＢＩＯＳ）を有し、
接続ユニットが上記基材上に位置し、かつ、上記設定格納装置と電気的に接続され、および、
外部装置が上記ＢＩＯＳの設定を変更するために上記接続ユニットと電気的に接続され、請求項１乃至１１の何れか１項に記載のシステムの自動電源投入遮断スケジューリング制御手法を実行するシステム。
【発明の詳細な説明】
【技術分野】
【０００１】
本発明はシステムおよびその制御手法に関し、より具体的には自動電源投入遮断スケジューリングシステムおよびその自動電源投入遮断スケジューリング制御手法に関する。
【背景技術】
【０００２】
現在、電子機器には一般に、パーソナルコンピュータの構成部品と同じ多くの構成部品、たとえばマザーボード、ランダムアクセスメモリ（ＲＡＭ）、基本入出力システム（ＢＩＯＳ）、および、さらにはネットワークカードが統合されている。
【発明の概要】
【発明が解決しようとする課題】
【０００３】
多くの場合、ユーザーは自身が何らかの理由によりその場を離れなければならないために、電子機器の電源投入プログラムを実行させるために特定の時点に電源を投入することができない。かといってユーザーが前以って電子機器の電源を投入すると、その電子機器は動作状態で待機し不必要に電力を消費する。同様に多くの場合、電子機器が特定のプログラムを実行しているためにユーザーは即時に電子機器の電源を遮断することができず、何らかの理由によりその場を離れなければならないと、電子機器は継続して電源の入った状態に維持されたままになる。
【０００４】
ユーザーが電源投入または電源遮断操作を即時に実行できない状況を回避するために、電子機器が電源投入プログラムを実行する時刻をユーザーが設定できる起動機構を電子機器のＢＩＯＳが提供している。現在、複数の起動機構、たとえば電話呼び出しによる再開、ＬＡＮ経由の起動、あるいは電話呼び出しによる起動が存在している。電子機器内で動作する大半のソフトウェアは電源遮断時刻の事前予約が可能で、ユーザーは電子機器に電源遮断プログラムを実行させる時刻を設定することができる。
【０００５】
しかし、電子機器のＢＩＯＳは、異なる時刻に何度も起動機構の設定ができるのではなく一度だけしか起動機構が設定できず、かつ、異なる時刻に何度も電源遮断の設定ができるのではなく一度だけしか電源遮断が設定できない。電子機器のＢＩＯＳならびに電子機器内で実行されるプログラムはいずれもシステムの電源投入遮断を何度も行う自動的なスケジューリング制御を提供できない。
【課題を解決するための手段】
【０００６】
したがって、本発明は、電子機器がシステムの自動電源投入を何度もスケジュール制御できず、アプリケーションによって自動電源遮断を一度のみ、または、ＢＩＯＳによって自動電源投入を一度のみ認識されるという問題を回避するための、自動電源投入遮断スケジューリングシステムおよびその自動電源投入遮断スケジューリング制御手法である。
【０００７】
本発明に係るシステムの自動電源投入遮断スケジューリング制御手法は電子機器に適用される。本システムの自動電源投入遮断スケジューリング制御手法は、第一に電子機器の電源投入プログラムを実行するために電子機器のシステム電源を入れる（第一段階）、次に、自動電源投入遮断設定データを検索する（第二段階）、その後、自動電源投入遮断設定データを読み込んだ時点で定期的な割り込みを起こし（第三段階）、次に、電子機器の電源投入プログラムを完了させ（第四段階）、その後、電源投入遮断設定データ内の電源遮断時刻を読み（第五段階）、次に、定期的な割り込みを用いて電子機器のシステム時刻を確認し、かつ、システム時刻と読み込んだ電源遮断時刻を比較し（第六段階）、次に、システム時刻が電源遮断時刻と一致する場合には次回電源投入時刻を設定し（第七段階）、次に、アドバンスト・コンフィグレーション・アンド・パワー・インターフェース（ＡＣＰＩ）オペレーティングシステムを検出し（第八段階）、最後に、ＡＣＰＩオペレーティングシステムが実行状態にある場合にはＡＣＰＩオペレーティングシステムにより電子機器の電源遮断プログラムを実行する（第九段階）段階からなる。
【０００８】
電源投入遮断時刻の各設定の設定データは設定格納装置、たとえば、相捕型金属酸化膜半導体（ＣＭＯＳ）、非揮発性ランダムアクセスメモリ（ＮＶＲＡＭ）、フラッシュディスク、ハードディスク（ＨＤ）、またはそのような装置、に保存される。
【０００９】
第五段階において、現在のシステム時刻は設定格納装置から読み込まれる。
【００１０】
次回電源投入時刻を設定する第七段階は主に、システムの次回電源投入時刻を設定格納装置内に設定することからなり、さらには、警告フラグの解除、起動時刻の設定、警告割り込みの動作、入出力バッファの記録消去、および、警告起動イベントの動作を備える。
【００１１】
第八段階はさらに、前以ってＡＣＰＩフラグの検索、および、ＡＣＰＩフラグがイネーブルになっている時にＡＣＰＩオペレーティングシステムが実行状態にあるかどうかの判断を備える。
【００１２】
第九段階はＡＣＰＩオペレーティングシステムが実行状態にない時に第五段階への復帰と実行を備える。あるいはまた、第九段階はさらにＡＣＰＩオペレーティングシステムが存在しない時に従来のオペレーティングシステムによって電子機器の電源遮断プログラムを実行する場合がある。それは、電子機器の電源遮断プログラムを実行するためにユーザーまたは処理モジュールによってＡＣＰＩポートにソフトオフコマンドが書き込まれることである。
【００１３】
本発明に係るシステムの自動電源投入遮断スケジューリング制御手法はさらに、電子機器のシステム時刻の確認、および、システム時刻と自動電源投入遮断設定データ内の次回電源投入時刻との比較（第十段階）、および、システム時刻が次回電源投入時刻と一致した時の第一段階への復帰と実行（第十一段階）を備える。
【００１４】
本発明に係る自動電源投入遮断スケジューリングシステムは、オペレーティングシステムが実行される電子機器に適用可能である。本発明における自動電源投入遮断スケジューリングシステムは、基材、設定格納装置、接続ユニット、および、外部装置を備える。
【００１５】
基材は電子機器内に位置し、設定格納装置は基材に接続される。
【００１６】
接続ユニットは基材上に位置し、設定格納装置と電気的に接続される。
【００１７】
外部装置はＢＩＯＳの設定を変更するために接続ユニットと電気的に接続され、システムの自動電源投入遮断スケジューリング制御手法を実行する。
【００１８】
自動電源投入遮断スケジューリングシステムは、外部装置を接続ユニットと接続することにより設定格納装置内のＢＩＯＳの設定を変更し、システムの自動電源投入遮断スケジューリング制御手法を実行する。
【発明の効果】
【００１９】
したがって、本発明における自動電源投入遮断スケジューリングシステムおよびその自動電源投入遮断スケジューリング制御手法は、ファームウェアプログラムによって何度でもシステムの自動電源投入遮断のスケジュールを制御することができ、ユーザーの設定に応じて電源投入または電源遮断時刻を自動的に判断することができ、設定時刻に達した時に電源投入または電源遮断動作を実行でき、よって、ユーザーがオン／オフキーを操作せずとも自動的に電源投入または電源遮断が行える。
【図面の簡単な説明】
【００２０】
【図１】本発明に係るシステムの自動電源投入遮断スケジューリング制御手法の第一部分のフローチャートである。
【図２】本発明に係るシステムの自動電源投入遮断スケジューリング制御手法の第二部分のフローチャートである。
【図３】本発明に係るシステムの自動電源投入遮断スケジューリング制御手法の第三部分のフローチャートである。
【図４】本発明に係るシ自動電源投入遮断スケジューリングシステムの概略図である。
【発明を実施するための形態】
【００２１】
本発明は、ここで以下に述べられる詳細な説明によりさらによく理解できるであろう。以下の説明は、専ら例示するためのものであって、本発明を限定するものではない。
【００２２】
本発明に係るシステムの自動電源投入遮断スケジューリング制御手法の流れは、順に３つの部分、第一部分、第二部分、および、第三部分、に分かれる。第一部分はシステムの自動電源投入遮断スケジューリング制御手法における電源投入処理、第二部分はシステムの自動電源投入遮断スケジューリング制御手法における電源投入動作から電源遮断動作までの処理、および、第三部分は本システムの自動電源投入遮断スケジューリング制御手法における電源遮断動作から次回電源投入動作までの処理である。
【００２３】
図１は本発明に係るシステムの自動電源投入遮断スケジューリング制御手法の第一部分のフローチャートである。図２は本発明に係るシステムの自動電源投入遮断スケジューリング制御手法の第二部分のフローチャートである。図３は本発明に係るシステムの自動電源投入遮断スケジューリング制御手法の第三部分のフローチャートである。
【００２４】
図１、図２、および図３に示すように、本発明に係るシステムの自動電源投入遮断スケジューリング制御手法は電子機器に適用可能である。システムの自動電源投入遮断スケジューリング制御手法は、第一に電子機器の電源投入プログラムを実行するために電子機器のシステム電源を入れる（第一段階）、次に、自動電源投入遮断設定データを検索する（第二段階）、その後、自動電源投入遮断設定データを読み込んだ時点で定期的な割り込みを起こし（第三段階）、次に、電子機器の電源投入プログラムを完了させ（第四段階）、その後、電源投入遮断設定データ内の電源遮断時刻を読み（第五段階）、定期的な割り込みを用いて電子機器のシステム時刻を確認し、かつ、システム時刻と読み込んだ電源遮断時刻を比較し（第六段階）、次に、システム時刻が電源遮断時刻と一致する場合には次回電源投入時刻を設定し（第七段階）、次に、ＡＣＰＩオペレーティングシステムを検出し（第八段階）、最後に、ＡＣＰＩオペレーティングシステムが実行状態にある場合にはＡＣＰＩオペレーティングシステムにより電子機器の電源遮断プログラムを実行する（第九段階）段階からなる。
【００２５】
本発明に係るシステムの自動電源投入遮断スケジューリング制御手法において、第一段階において、電子機器の電源投入プログラムを実行する、つまり、ＢＩＯＳを実行するために電子機器のシステム電源が前以って投入される。
【００２６】
電子機器の開始処理は電源作動装置（たとえば、電源スイッチ、電源キー、またはその他のハードウェア装置）を作動することによってあるいは他の方法によって認識される場合がある。
【００２７】
電子機器内のハードウェアを管理するためのファームウェアとして、電源投入動作の後にＢＩＯＳが最初に作動した後、コンピュータ装置を完全かつ徹底的に点検ならびに試験する。次に第二段階において、電子機器の処理モジュールにより自動電源投入遮断設定データ、つまり、自動電源投入遮断のための電源投入遮断それぞれの設定データが検索される。電源投入遮断それぞれの設定データはＣＭＯＳ、ＮＶＲＡＭ、フラッシュディスク、ＨＤ、またはそのような設定格納装置に保存される。
【００２８】
第三段階において、自動電源投入遮断設定データが読み込まれた後に定期的な割り込み機能が始動する。定期的な割り込みはシステム管理割り込み（ＳＭＩ）、電源管理（ＰＭ）タイマー、シリアル割り込み要求（シリアルＩＲＱ）、またはチップセット内の他の機能を異なるハードウェアおよびチップセットに応じて選択することによって定期的なシステム割り込みを発生させてもよい。システム時刻は、ＳＭＩ、ＰＭタイマー、またはチップセット内の他の機能によって発生される定期的なシステム割り込みを利用してチェックされ、その後システム時刻はユーザーによって設定された自動電源投入遮断時刻と比較される。
【００２９】
次に、第四段階において、電子機器に接続されているすべてのハードウェアおよびそれらのシステム設定が検出され、電源投入プログラムが完了する。
【００３０】
第二段階において、処理モジュールが自動電源投入遮断設定データの検索に失敗した場合、元の電源投入プログラムが再開され（たとえば、電子機器に接続されているすべてのハードウェアおよびそれらのシステム設定を検出し）、電源投入プログラムが完了する（第四段階）、つまり、自動電源投入遮断設定データが第二段階において検索できなければ、流れは第四段階に直接進む。
【００３１】
第一段階から第四段階は、本発明に係るシステムの自動電源投入遮断スケジューリング制御手法の電源投入処理、つまり、本システムの自動電源投入遮断スケジューリング制御手法の第一の部分と考えることができる。
【００３２】
次に、第五段階において、処理モジュールは設定格納装置に格納された自動電源投入遮断設定データ内の電源遮断時刻を読み込む。
【００３３】
その後、第六段階において、処理モジュールはチップセットの定期的なシステム割り込み機能を用いて電子機器のシステム時刻を連続的に確認し、次に、システム時刻を、処理モジュールによって設定格納装置から読み込まれた電源遮断時刻（ユーザーによって設定された自動電源遮断時刻）と比較し、システム時刻が読み込まれた電源遮断時刻と合致するかどうかを判断する。
【００３４】
システム時刻が第六段階において読み込まれた電源遮断時刻と合致しない時は、流れは第五段階に戻り、処理モジュールは設定格納装置に格納された自動電源投入遮断設定データ内の電源遮断時刻を再読み込みし、その後再び第六段階が実行され、システム時刻が読み込まれた電源遮断時刻と合致するかどうかが判断される。
【００３５】
処理モジュールがチップセットの定期的なシステム割り込み機能を用いてシステム時刻を確認する段階には、処理モジュールによる設定格納装置から現在のシステム時刻の読み込みが含まれる。
【００３６】
システム時刻が第六段階において読み込まれた電源遮断時刻と合致する時は、次回電源投入時刻を設定する第七段階が実行される。
【００３７】
次回電源投入時刻を設定する段階には、設定格納装置への次回電源投入時刻の設定が含まれる。設定格納装置に次回電源投入時刻を設定する段階には主に、事前の警告フラグの解除、その後、起動時刻の設定、次に、警告割り込みの動作、その後、入出力バッファの記録消去、そして最後に、警告起動イベントの動作が含まれる。
【００３８】
第五段階から第七段階は、本発明におけるシステムの自動電源投入遮断スケジューリング制御手法における電源投入動作から電源遮断動作の処理、つまり、本システムの自動電源投入遮断スケジューリング制御手法の第二部分と考えることができる。
【００３９】
その後、第八段階において、処理モジュールによってＡＣＰＩオペレーティングシステムが存在するかどうかが検出される、つまり、処理モジュールがＡＣＰＩフラグを検索する。ＡＣＰＩフラグがイネーブルになっている時は、ＡＣＰＩオペレーティングシステムが実行状態にあると判断される。
【００４０】
換言すれば、システムがＡＣＰＩオペレーティングシステムに入った時、ＡＣＰＩをイネーブルにする数値がＳＭＩコマンドポートに入れられ、および、ＡＣＰIをイネーブルにする情報がＳＭＩコマンドポートに書かれた時に、フラグが記録され、設定格納装置に格納され、それが処理モジュールに提供されてＡＣＰＩオペレーティングシステムが現在存在するかどうかが判断される。
【００４１】
ＡＣＰＩオペレーティングシステムが存在するが実行状態でない時には、フローは第五段階に戻る。
【００４２】
結果として、第九段階には、ＡＣＰＩオペレーティングシステムが存在し実行状態にある時にＡＣＰＩオペレーティングシステムによって電子機器の電源遮断プログラムの実行が含まれる。
【００４３】
あるいはまた、ＡＣＰＩオペレーティングシステムが存在しない時に第九段階は従来のオペレーティングシステムによる電子機器の電源遮断プログラムの実行をも含む、つまり、ユーザーあるいは処理モジュールによってＡＣＰＩポートにソフトオフコマンドを書き込むことで電子機器の電源遮断プログラムの実行を行う場合がある。
【００４４】
本発明に係るシステムの自動電源投入遮断スケジューリング制御手法はさらに、電子機器のシステム時刻を確認し、システム時刻を自動電源投入遮断設定データ内の次回電源投入時刻と比較する（第十段階）、および、システム時刻が次回電源投入時刻と合致した時に第一段階に戻ってそれを実行する（第十一段階）ことを含む。
【００４５】
電子機器が電源遮断プログラムを実行した後も、内部処理モジュール、チップセット、または、設定格納装置の実行のために電力を供給するスタンバイ電源が依然として必要である。このとき、電子機器内部のリアルタイムクロック（ＲＴＣ）は、コンピュータの電源が切られた後に二次バッテリーまたはドライバッテリーによって提供される電力で正しいシステム時刻を維持するために依然として動作する。したがって、第十段階において、電子機器のシステム時刻はチップセットの定期的なシステム割り込み機能を用いて連続的に確認され、システム時刻は自動電源投入遮断設定データ内の次回電源投入時刻と比較される。
【００４６】
最後に、第十一段階において、チップセットの定期的なシステム割り込み機能を用いて確認されたシステム時刻が次回電源投入時刻と合致する時、電子機器のシステム電力は電子機器の電源投入プログラムを実行するために起動される、つまり、フローは第一段階に戻る。
【００４７】
第十段階から第十一段階は、本発明に係るシステムの自動電源投入遮断スケジューリング制御手法における電源遮断動作から次回の電源投入動作の処理、つまり、本システムの自動電源投入遮断スケジューリング制御手法の第三部分と考えることができる。
【００４８】
したがって、本システムの自動電源投入遮断スケジューリング制御手法を通じて、ユーザーは自動電源投入遮断時刻を複数設定し、チップセットの定期的なシステム割り込み機能によって生成された定期的なシステム割り込みを用いてシステム時刻を確認する。システム時刻が自動電源遮断時刻に達するかまたはそれを過ぎている時には、次回電源投入時刻が設定され、その後、次回電源投入時刻が正しく設定された時点で電源遮断動作が実行される。次回の電源投入動作の後、システム時刻を確認するためにチップセットによって生成された定期的なシステム割り込みが再始動し、その後、システム時刻がユーザーによって設定された次回の電源投入遮断時刻と比較される。そのようなサイクルはすべての自動電源投入遮断時刻設定が実行されるまで連続して続けられる。
【００４９】
本発明に係るシステムの自動電源投入遮断スケジューリング制御手法は、ファームウェアプログラムを通じてシステムの自動電源投入遮断のスケジューリング制御を何度でも実現し、ユーザーの設定に応じて電源投入あるいは電源遮断時刻を自動的に判断し、かつ、設定時刻に達した時に電源投入あるいは電源遮断動作を実行することにより、ユーザーがオン／オフキーを操作する必要なしに自動的に電源投入あるいは電源遮断結果を達成する。
【００５０】
図４は、本発明に係るシステムの自動電源投入遮断スケジューリングシステムの概念図である。
【００５１】
図４に示すように、上記の実施形態と組合せることで、本発明におけるシステムの自動電源投入遮断スケジューリングシステムはオペレーティングシステムを実行する電子機器１００に適用可能である。本発明におけるシステムの自動電源投入遮断スケジューリングシステムは、基材２０、設定格納装置３０、接続ユニット４０、および、外部装置５０を備える。
【００５２】
基材２０は電子機器１００内に位置し、設定格納装置３０は基材２０に接続される。
【００５３】
接続ユニット４０は基材２０上に位置し、設定格納装置３０と電気的に接続される。
【００５４】
外部装置５０はＢＩＯＳの設定を変更するために接続ユニット４０と電気的に接続され、本システムの自動電源投入遮断スケジューリング制御手法を実行する。
【００５５】
基材２０はプリント基板（ＰＣＢ）、または、硬質の板および軟質の板のいずれかである。
【００５６】
設定格納装置３０はリードオンリーメモリ（ＲＯＭ）である。
【００５７】
接続ユニット４０はユニバーサルシリアルバス（ＵＳＢ）インターフェース、または、１３９４接続インターフェースなどである。
【００５８】
自動電源投入遮断スケジューリングシステムは、外部装置５０を接続ユニット４０と接続することにより設定格納装置３０内のＢＩＯＳの設定を変更し、本システムの自動電源投入遮断スケジューリング制御手法を実行する。
【００５９】
本発明に係るシステムの自動電源投入遮断スケジューリングシステムおよびそのための自動電源投入遮断スケジューリング制御手法は、ファームウェアプログラムを通じてシステムの自動電源投入遮断のスケジューリング制御を何度でも実現し、ユーザーの設定に応じて電源投入あるいは電源遮断時刻を自動的に判断し、かつ、設定時刻に達した時に電源投入あるいは電源遮断動作を実行することにより、ユーザーがオン／オフキーを操作する必要なしに自動的に電源投入あるいは電源遮断効果を達成する。
【図１】
2010267127.tif 000003
【図２】
2010267127.tif 000004
【図３】
2010267127.tif 000005
【図４】
2010267127.tif 000006